(57)【要約】【課題】一包化調剤に関する作業効率が高められる医薬品搬送用治具を提供する。【解決手段】医薬品搬送用治具１は複数の医薬品用カップ１００を支持する支持部２１を備える。【選択図】図１
2019088633.tif 000002
【特許請求の範囲】
【請求項１】
複数の医薬品用カップを支持する支持部を備える
医薬品搬送用治具。
【請求項２】
前記支持部は前記複数の医薬品用カップが台に載せられた状態において前記複数の医薬品用カップの相対的な位置関係を崩すことなく前記複数の医薬品用カップから離れることができるように構成されている
請求項１に記載の医薬品搬送用治具。
【請求項３】
前記支持部は前記複数の医薬品用カップが前記台に載せられた状態において前記複数の医薬品用カップに対してスライドできるように構成されている
請求項２に記載の医薬品搬送用治具。
【請求項４】
前記支持部は前記医薬品用カップに設けられたフランジを支持する
請求項２または３に記載の医薬品搬送用治具。
【請求項５】
前記支持部は前記フランジを支持する櫛を備える
請求項４に記載の医薬品搬送用治具。
【請求項６】
前記医薬品用カップの開口に配置されることにより前記医薬品用カップの開口を閉じる仮蓋をさらに備える
請求項１〜５のいずれか一項に記載の医薬品搬送用治具。
【請求項７】
前記仮蓋は少なくとも２つの前記医薬品用カップの開口に配置できるように構成されている
請求項６に記載の医薬品搬送用治具。
【請求項８】
前記仮蓋は前記医薬品用カップ内の空気を抜く通気部を備える
請求項６または７に記載の医薬品搬送用治具。
【請求項９】
作業者が持ち運びできるように軽量な材料により構成されている
請求項１〜８のいずれか一項に記載の医薬品搬送用治具。
【請求項１０】
医薬品用カップに対するスライドが可能な状態で複数の前記医薬品用カップのフランジを支持する支持部を備える
医薬品搬送用治具。
【請求項１１】
前記支持部は櫛である
請求項１０に記載の医薬品搬送用治具。
【発明の詳細な説明】
【技術分野】
【０００１】
本発明は医薬品を搬送する医薬品搬送用治具に関する。
【背景技術】
【０００２】
特許文献１は複数種類の薬を一包化する一包化装置を開示している。この一包化装置は凹部連続体(３９)に収容される複数種類の薬を一包化するための装置であり、移動部(３７)および閉塞機構(４８)を備える。この一包化装置を用いた一包化調剤では、移動部(３７)が凹部連続体(３９)上を移動して凹部連続体(３９)内に医薬品を投入し、閉塞機構(４８)が凹部連続体(３９)の開口を閉鎖するようにシートを貼り付ける。
【先行技術文献】
【特許文献】
【０００３】
【特許文献１】特開２０１７−１８４８７７号公報
【発明の概要】
【発明が解決しようとする課題】
【０００４】
従来の一包化装置を用いた一包化調剤では、上記のように凹部連続体(３９)への薬の投入、および、凹部連続体(３９)の閉鎖等の一連の工程が１つの一包化装置において実施される。これとは別の一包化調剤の方法として、複数種類の薬を容器に投入する投入工程を実施するための投入装置、および、その容器の開口を閉じる閉鎖工程を実施するための閉鎖装置を用いる方法が挙げられる。この方法によれば、個々の装置の設計の自由度が高くなるという利点がある。ただし、閉鎖工程を実施するために、投入装置にセットされている容器を閉鎖装置に搬送する必要が生じるため、一包化調剤に関する効率の低下が懸念される。
【課題を解決するための手段】
【０００５】
(１)本発明に関する医薬品搬送用治具は、複数の医薬品用カップを支持する支持部を備える。
上記医薬品搬送用治具は、投入装置および閉鎖装置を用いた一包化調剤に利用できる。投入装置にセットされている複数の医薬品用カップを閉鎖装置に搬送する場合、医薬品搬送用治具の支持部により複数の医薬品用カップが支持される。複数の医薬品用カップは医薬品搬送用治具の支持部に支持された状態で閉鎖装置に搬送され、閉鎖装置の台にセットされる。このように、投入装置にセットされている複数の医薬品用カップが一括して閉鎖装置に搬送されるため、一包化調剤が効率的に実施される。
【０００６】
(２)好ましい例では(１)に記載の医薬品搬送用治具において、前記支持部は前記複数の医薬品用カップが台に載せられた状態において前記複数の医薬品用カップの相対的な位置関係を崩すことなく前記複数の医薬品用カップから離れることができるように構成されている。
複数の医薬品用カップが閉鎖装置に搬送された後、閉鎖装置における作業の邪魔にならないよう、医薬品搬送用治具が複数の医薬品用カップから離される。このとき、複数の医薬品用カップの相対的な位置関係が崩れることなく医薬品搬送用治具が複数の医薬品用カップから離れるため、投入装置における複数の医薬品用カップの相対的な位置関係が閉鎖装置の台にセットされた複数の医薬品用カップにおいても保たれる。このため、複数の医薬品用カップの搬送後に複数の医薬品用カップの相対的な位置関係の確認等の作業を省略でき、一包化調剤に関する作業効率が高められる。
【０００７】
(３)好ましい例では(２)に記載の医薬品搬送用治具において、前記支持部は前記複数の医薬品用カップが前記台に載せられた状態において前記複数の医薬品用カップに対してスライドできるように構成されている。
このため、医薬品搬送用治具を複数の医薬品用カップから離す作業を容易に実施できる。
【０００８】
(４)好ましい例では(２)または(３)に記載の医薬品搬送用治具において、前記支持部は前記医薬品用カップに設けられたフランジを支持する。
このため、医薬品搬送用治具に支持された医薬品用カップの姿勢が安定する。
【０００９】
(５)好ましい例では(４)に記載の医薬品搬送用治具において、前記支持部は前記フランジを支持する櫛を備える。
このため、支持部の構成が簡素化される。
【００１０】
(６)好ましい例では(１)〜(５)のいずれか一項に記載の医薬品搬送用治具において、前記医薬品用カップの開口に配置されることにより前記医薬品用カップの開口を閉じる仮蓋をさらに備える。
搬送される複数の医薬品用カップに仮蓋がセットされることにより、搬送中の医薬品用カップ内に異物が侵入することが妨げられる。
【００１１】
(７)好ましい例では(６)に記載の医薬品搬送用治具において、前記仮蓋は少なくとも２つの前記医薬品用カップの開口に配置できるように構成されている。
このため、仮蓋を医薬品用カップにセットする作業、および、仮蓋を医薬品用カップから取り外す作業を効率的に実施できる。
【００１２】
(８)好ましい例では(６)または(７)に記載の医薬品搬送用治具において、前記仮蓋は前記医薬品用カップ内の空気を抜く通気部を備える。
仮蓋が医薬品用カップにセットされた場合に通気部を通過して外部の空気が医薬品用カップ内に流れ、医薬品用カップ内の圧力が大気圧よりも低下しないため、真空状態が形成されない。これにより、仮蓋を医薬品用カップから容易に取り外すことができる。
【００１３】
(９)好ましい例では(１)〜(８)のいずれか一項に記載の医薬品搬送用治具において、作業者が持ち運びできるように軽量な材料により構成されている。
このため、医薬品用カップを搬送する作業を容易に実施できる。
【００１４】
(１０)本発明に関する医薬品搬送用治具は、医薬品用カップに対するスライドが可能な状態で複数の前記医薬品用カップのフランジを支持する支持部を備える。
上記医薬品搬送用治具によれば、上記(１)の医薬品搬送用治具により得られる効果と同様の効果が得られる。
【００１５】
(１１)好ましい例では(１０)に記載の医薬品搬送用治具において、前記支持部は櫛である。
上記医薬品搬送用治具によれば、上記(５)の医薬品搬送用治具により得られる効果と同様の効果が得られる。
【発明の効果】
【００１６】
本発明に関する医薬品搬送用治具によれば、一包化調剤を効率的に実施できる。
【図面の簡単な説明】
【００１７】
【図１】実施形態の医薬品搬送用治具の分解斜視図。
【図２】図１の医薬品搬送用治具の斜視図。
【図３】図１の台の斜視図。
【図４】図１の支持部の斜視図。
【図５】図１の仮蓋の正面側の斜視図。
【図６】図１の仮蓋の背面側の斜視図。
【図７】図１の台にカップが配置された状態の台およびカップの斜視図。
【図８】搬送部セット工程の途中を示す斜視図。
【図９】搬送部セット工程が完了した状態の斜視図。
【図１０】分離工程に関する斜視図。
【図１１】搬送工程に関する斜視図。
【発明を実施するための形態】
【００１８】
(実施形態)
図１および図２に示される医薬品搬送用治具１は複数種類の薬を医薬品用カップ１００(以下「カップ１００」)に収容する一包化調剤に用いられる。一包化調剤の一例では、複数種類の薬をカップ１００に投入する投入工程を実施するための投入装置２００(図１０参照)、および、そのカップ１００の開口１１０Ａを閉じる閉鎖工程を実施するための閉鎖装置３００(図１１参照)が用いられる。
【００１９】
カップ１００に収容された薬を服用する方法としては、一般にカップ１００内の薬を掌に載せ、掌から口腔内に投入する方法が実施されている。以下では、この服用方法を「従来服用」と称する。従来方法では、カップ１００から薬を取り出すときに薬が掌に載らず、床等に落下することがある。この問題は服用者の身体能力が標準的な身体能力に比して低下している高齢者等において特に生じやすい。
【００２０】
このような背景から服薬者が快適に服薬できる環境の提供が望まれている。これを実現する手段の１つとして、カップ１００内の薬を直接的に口腔内に投入する服用方法が挙げられる。以下では、この服用方法を「直接服用」と称する。直接服用ではカップ１００内の薬を掌に載せる動作が省略されるため、薬が床等に落下しにくい。一方、カップ１００内の薬を口腔内に投入する場合にカップ１００が唇に触れるため、唇にソフトな接触感が与えられることが好ましい。従来のカップ１００は直接服用を想定した構造ではない。このため、従来のカップ１００を用いて直接服用を実施した場合、カップ１００の縁が唇に触れることにより服用者に不快感を与えるおそれがある。これに関する具体的な例として、複数のカップ１００のフランジ同士が繋がった状態でカップ１００の集合体が製造される場合が挙げられる。この集合体を用いて薬が調剤された場合、服用時には配薬者または服用者により服用分のカップ１００がカップ１００の集合体から分離される。多くの場合、このときにフランジの縁に粗い破断面が形成される。この破断面に存在する凹凸が服用者の唇に触れることにより服用者に不快感が与えられるおそれがある。これを解決するため、フランジを有するカップ１００を個別に成型し、このカップを直接服用に用いることが考えられる。この服用方法では、カップ１００のフランジに粗い破断面が形成されることがないため、服用者に不快感を与えるおそれが軽減される。
【００２１】
薬の適切な管理という側面からすると、所定の服用期間に対応する複数のカップ１００が１つの集合体を構成することが好ましい。上述のとおりフランジが繋がったカップ１００の集合体は服用者に不快感を与えるおそれがあるため、服用者に対する快適な服用環境の提供を考慮した場合には、フランジとは別の手段により複数のカップ１００の集合体を製造することが求められる。別の手段の一例として、個別に成型された複数のカップ１００に１枚の大きな蓋である集合蓋を接合し、この蓋により複数のカップ１００を連結する方法が挙げられる。以下では、この方法により構成された複数のカップ１００の集合体を「蓋連結型集合体」と称する。
【００２２】
蓋連結型集合体において、集合蓋は複数のカップ１００のそれぞれに形成される開口を閉じる個別の蓋としての機能も備えている。服用者が服用する場合には集合蓋から服用分のカップ１００の蓋が分離されることにより、蓋連結型集合体から服用分のカップ１００が分離される。直接服用のため、蓋連結集合体から分離されたカップ１００の蓋が剥がされ、開口したカップ１００が服用者の口元に運ばれる。カップ１００が個別に成型されているため、カップ１００のフランジが服用者の唇に触れた場合でも服用者にソフトな接触感が与えられる。
【００２３】
投入装置２００および閉鎖装置３００を用いた調剤方法では、次のように蓋連結型集合体を製造することができる。最初に、個別に成型された複数のカップ１００が投入装置２００にセットされる。次に、複数のカップ１００のそれぞれに複数種類の薬が投入される。次に、複数のカップ１００が閉鎖装置３００に搬送される。次に、複数のカップ１００の全部の開口を覆うように集合蓋が複数のカップ１００に接合され、蓋連結型集合体が製造される。集合蓋における個別の蓋に対して、その蓋に対応するカップ１００内の薬に関する情報を記録することにより、蓋連結型集合体を適切に管理することができる。その情報を集合蓋に正確に記録するための方法として、例えば、投入装置２００における複数のカップ１００の位置関係と閉鎖装置３００における複数のカップ１００の位置関係とを対応させる方法が挙げられる。このような対応関係を得るための手段の一例として、投入装置２００に設けられるカップ１００の台を投入装置２００の本体から分離できるように構成し、複数のカップ１００が載せられた台を閉鎖装置３００に載せる方法が考えられる。複数のカップ１００に対して集合蓋を正確に取り付けるため、閉鎖装置３００の台は投入装置２００の台と比較して高い寸法精度が要求される。このため、投入装置２００の台をそのまま閉鎖装置３００に設置し、複数のカップ１００に対して集合蓋の取り付けを実施した場合には、集合蓋が正確に複数のカップ１００に取り付けられないおそれがある。これを回避する別の方法として、作業者が投入装置２００におけるカップ１００と閉鎖装置３００におけるカップ１００との位置関係を確認しながら手作業で投入装置２００から閉鎖装置３００にカップ１００を搬送する方法が挙げられる。しかし、この方法では一包化調剤に関する効率が低下するおそれがある。
【００２４】
これらの問題を踏まえ、投入装置２００における複数のカップ１００の位置関係が閉鎖装置３００において再現されるように投入装置２００から閉鎖装置３００に複数のカップ１００を搬送する方法について検討した。その結果、複数のカップ１００を投入装置２００から閉鎖装置３００に搬送するための専用の治具を準備することに想到した。医薬品搬送用治具１はこの思想を反映して構成された治具の形態の１つである。医薬品搬送用治具１が一度に搬送できるカップ１００の数(以下「最大搬送数」)は２以上のいずれかの整数から任意に選択できる。最大搬送数が多くなるほど、搬送に関する効率が高められる。最大搬送数が少なくなるほど、医薬品搬送用治具１が小型化および軽量化される。
【００２５】
カップ１００を構成する材料は薬の保護に適した樹脂材料である。好ましい例では、カップ１００に薬が収容された状態で監査を実施できるように透明の樹脂材料により構成される。カップ１００は収容部１１０およびフランジ１２０に区分される。収容部１１０には、処方薬を収容する空間１１０Ｂ、および、空間１１０Ｂに対して薬を出し入れするための開口１１０Ａが形成されている。フランジ１２０は開口１１０Ａの周囲に設けられている。カップ１００には服用条件に従って分類される複数種類の薬が収容される。服用条件の一例は１日における服用時期、および、服用日数である。好ましい例では、１回の服用分の薬が１つのカップ１００の収容部１１０に収容される。複数のカップ１００は、好ましくは、個々に分離した状態で医薬品搬送用治具１の台１０に載せられる。
【００２６】
医薬品搬送用治具１を構成する主な要素は台１０、搬送部２０、および、仮蓋３０である。台１０、搬送部２０、および、仮蓋３０を構成する材料は任意に選択できる。好ましい例では、作業者が持ち運びできるように軽量な樹脂材料が用いられる。その一例は、アクリル樹脂およびＡＢＳ樹脂である。このため、カップ１００を搬送する作業を容易に実施できる。
【００２７】
図３に示される台１０の平面視の形状は長方形である。台１０は投入装置２００(図１０参照)の下方に設置される。台１０の高さはカップ１００の高さよりも低い。台１０には、搬送部２０の移動を規制する治具規制部１１、および、カップ１００を支持するカップ支持部１２が設けられている。
【００２８】
治具規制部１１は搬送部２０が複数のカップ１００を支持している位置(以下「支持位置」)において、台１０に対してカップ１００に接近する方向の移動を規制する。一例では、治具規制部１１は台１０に形成された複数の凸部１１Ａを含む。搬送部２０は支持位置(図９参照)において、複数の凸部１１Ａのそれぞれに接触することにより、カップ１００に接近する方向の移動が規制される。
【００２９】
カップ支持部１２は台１０に対してカップ１００を位置決めする。カップ１００の位置決めとは、例えば、台１０の平面視に規定される座標系におけるカップ１００の位置を固定することである。カップ支持部１２の構成は任意に選択可能である。第１例では、カップ支持部１２は複数のカップ１００を個別に挿入できる複数の孔１２Ａを含む。複数の孔１２Ａは台１０を貫通している。孔１２Ａにカップ１００の収容部１１０が挿入されることにより、カップ１００が位置決めされる。カップ１００の収容部１１０が孔１２Ａに挿入された状態では、収容部１１０の底面が例えば台１０の背面に設置されている監査用のカメラを固定する台(図示略)と接触し、フランジ１２０と台１０との間に隙間が形成される。第１例の場合、収容部１１０の底が台１０から露出するため、監査用のカメラ(図示略)を用いて収容部１１０の底を撮影することにより、カップ１００に収容されている薬の監査を実施できる。第２例では、カップ支持部１２は複数のカップ１００を個別に挿入できる複数の凹部を含む。複数の凹部は台１０を貫通していない。第２例の場合、凹部の深さはカップ１００の収容部１１０の深さよりも浅いことが好ましい。凹部にカップ１００の収容部１１０が挿入されることにより、カップ１００が位置決めされる。カップ１００の収容部１１０が凹部に挿入された状態では、カップ１００の収容部１１０の底が凹部の底と接触することにより、カップ１００が台１０に支持され、フランジ１２０と台１０との間に隙間が形成される。カップ支持部１２によってカップ１００が位置決めされている状態において投入装置２００が動作することにより、複数のカップ１００に規定の分量の薬が投入される。なお、投入装置２００としては、例えば、特開２０１７−１８４８７７号公報に記載の装置を用いることができる。
【００３０】
複数の孔１２Ａは、台１０の短辺方向に沿う複数の列１３に区分できる。複数の列１３は台１０の長辺方向に並んでいる。一例では、複数の孔１２Ａの数は１人の服用者が一定期間に薬を服用する回数と同じである。一定期間は１日よりも長い期間であり、日、週、月、または、年を単位期間とする。１つの列１３を構成する孔１２Ａの数は１人の服用者が１日に薬を服用する回数と同じである。複数の列１３の数は一定期間を規定する単位期間の総数と同じである。単位期間が日であり、一定期間が複数の日である場合、複数の列１３の数は複数の日と同じである。
【００３１】
図１に示されるように、搬送部２０は支持部２１、取手２２、第１壁部２３、および、第２壁部２４を備える。図４に示される支持部２１は複数のカップ１００に対するスライドが可能な状態で複数のカップ１００のフランジ１２０を一括して支持する。支持部２１は複数のカップ１００が台１０に載せられた状態において、複数のカップ１００の相対的な位置関係を崩すことなく複数のカップ１００から離れることができるように構成されている。このため、医薬品搬送用治具１を複数のカップ１００から離す作業を容易に実施できる。支持部２１はカップに１００に設けられたフランジ１２０を支持する。このため、医薬品搬送用治具１に支持されたカップ１００の姿勢が安定する。支持部２１は複数の櫛２１Ａを備える。このため、支持部２１の構成が簡素化される。複数の櫛２１Ａの長手方向の寸法は台１０の短辺方向の寸法と実質的に等しい。複数の櫛２１Ａは台１０の長辺方向において等間隔で配置されている。複数の櫛２１Ａのうちの隣り合う櫛２１Ａの間隔ＬＡはカップ１００の収容部１１０の最大の幅よりも若干広い。複数の櫛２１Ａのうちの隣り合う櫛２１Ａが１つの列１３に含まれるカップ１００のフランジ１２０を一括して支持する。
【００３２】
取手２２は支持部２１によって支持されている複数のカップ１００を一括して移動するときに作業者により把持される板状の部分である。取手２２は複数の櫛２１Ａの長手方向の一方の端部の全てと連結されている。
【００３３】
第１壁部２３は取手２２と複数の櫛２１Ａの一方の端部との間から立ち上がるように設けられている。第１壁部２３は支持部２１が支持位置(図９参照)のときに台１０の治具規制部１１と接触する。
【００３４】
第２壁部２４は複数の櫛２１Ａの最も外側に配置されている２本の櫛２１Ａの中間部分から立ち上がるように設けられている。第２壁部２４は支持位置の支持部２１に仮蓋３０がセットされた状態において、仮蓋３０の第１規制壁３３と接触することにより、仮蓋３０が支持部２１に対してスライドすることを規制する。
【００３５】
図５は仮蓋３０の正面側の斜視図である。図６は仮蓋３０の背面側の斜視図である。仮蓋３０はカップ１００の開口１１０Ａに配置されることにより、カップ１００の開口１１０Ａを閉じる。このため、搬送される複数のカップ１００に仮蓋３０がセットされることにより、搬送中のカップ１００内に異物が侵入することが妨げられる。仮蓋３０は全てのカップ１００の開口１１０Ａに配置できるように構成されている。このため、仮蓋３０をカップ１００にセットする作業、および、仮蓋３０をカップ１００から取り外す作業を効率的に実施できる。仮蓋３０は複数の孔３１、複数の監査部３２、一対の第１規制壁３３、および、第２規制壁３４を備える。
【００３６】
孔３１は仮蓋３０を貫通している。仮蓋３０に設けられる孔３１の数は任意である。一例では、仮蓋３０に設けられる孔３１の数は台１０に設けられる孔１２Ａの数と等しい。孔３１の形状は任意である。図示される第１例では、孔３１の形状は円である。第１例の場合、孔３１の外径はカップ１００の開口１１０Ａの外径よりも若干長いことが好ましい。第２例では、孔３１の形状は多角形である。
【００３７】
複数の孔３１にはカップ１００に収容されている薬の監査に利用される監査部３２が嵌め込まれている。監査部３２を構成する材料は任意に選択できる。好ましい例では、容易に監査を実施できるように、透明な樹脂材料により構成される。その一例は、アクリル樹脂およびポリエステル樹脂である。監査部３２を構成する材料が透明な樹脂材料である場合、医薬品搬送用治具１の上方に設置されたカメラ、または、目視によって薬の監査を実施できる。図６に示されるように、監査部３２は仮蓋３０の裏面３０Ｂから突出しないように、孔３１に嵌め込まれている。このため、仮蓋３０の裏面３０Ｂと監査部３２との間には段差３０Ａが形成されている。段差３０Ａにカップ１００のフランジ１２０が嵌め込まれるように仮蓋３０がセットされる。このため、カップ１００に対する仮蓋３０の位置が安定する。監査部３２には、カップ１００内の空気を抜く通気部３２Ａが設けられている。通気部３２Ａは監査部３２を貫通する孔である。このため、仮蓋３０がカップ１００にセットされた場合に通気部３２Ａを通過して外部の空気がカップ１００内に流れ、カップ１００内の圧力が大気圧よりも低下しないため、真空状態が形成されない。これにより、仮蓋３０をカップ１００から容易に取り外すことができる。
【００３８】
一対の第１規制壁３３は仮蓋３０が搬送部２０にセットされた状態において、搬送部２０の第１壁部２３と第２壁部２４との間に配置されることにより、仮蓋３０が搬送部２０に対してスライドすることを規制する。第１規制壁３３は仮蓋３０の短手方向の一方の端部から立ち上がるように設けられている。第１規制壁３３の長手方向の寸法は、櫛２１Ａの長手方向における第１壁部２３と第２壁部２４との間隔よりも短い。
【００３９】
第２規制壁３４は仮蓋３０が搬送部２０にセットされた状態において、複数の櫛２１Ａの他方の端部と接触することにより、仮蓋３０が搬送部２０に対してスライドすることを規制する。第２規制壁３４は仮蓋３０の短手方向の他方の端部から第１規制壁３３と反対側に突出するように設けられている。
【００４０】
医薬品搬送用治具１を用いた一包化調剤の一例について説明する。一例では、投入装置２００(図１０参照)および閉鎖装置３００(図１１参照)が設置された薬局において薬剤師により一包化調剤が実施される。一包化調剤は台設置工程、カップ配置工程、薬投入工程、搬送部セット工程、仮蓋セット工程、監査工程、搬送工程、分離工程、および、蓋取付工程を含む。
【００４１】
台設置工程では、投入装置２００に台１０が設置される。台設置工程が実施された後にカップ配置工程が実施される。図７に示されるように、カップ配置工程では、台１０の孔１２Ａのそれぞれにカップ１００の収容部１１０が挿入される。カップ配置工程の後に薬投入工程が実施される。薬投入工程では、投入装置２００が駆動することにより、複数のカップ１００の収容部１１０のそれぞれに規定の分量の薬が投入される。薬投入工程の後に搬送部セット工程が実施される。図８に示されるように、搬送部セット工程では、薬が投入された複数のカップ１００のフランジ１２０と台１０との隙間に複数の櫛２１Ａが挿入される。図９に示されるように、搬送部２０の第１壁部２３と台１０の治具規制部１１とが接触する位置まで搬送部２０がスライドされることにより、支持部２１が支持位置を形成する。搬送部セット工程の後に仮蓋セット工程が実施される。仮蓋セット工程では、仮蓋３０の第１規制壁３３が搬送部２０の第１壁部２３と第２壁部２４との間に挿入されるように仮蓋３０が搬送部２０に重ね合わせられる。仮蓋セット工程の後に監査工程が実施される。
【００４２】
監査工程では、カメラによって監査部３２を介してカップ１００の収容部１１０が撮影される。作業者はカメラにより撮影された画像に基づいて、収容部１１０に規定数の薬が存在するか否かを確認する。監査工程が実施された後に搬送工程が実施される。図１０に示されるように、搬送工程では作業者により取手２２が掴まれて持ち上げられることにより、搬送部２０、カップ１００、および、仮蓋３０が台１０から離間する。次に、図１１に示されるように、搬送部２０、カップ１００、および、仮蓋３０が閉鎖装置３００の台３１０に搬送され、台３１０の凹部３２０に複数のカップ１００が挿入される。
【００４３】
搬送工程の後に分離工程が実施される。分離工程では、搬送部２０から仮蓋３０が分離される。次に、台１０に対して搬送部２０がスライドすることにより、複数のカップ１００の相対的な位置関係が崩れることなく医薬品搬送用治具１が複数のカップ１００から離れる。分離工程の後に蓋取付工程が実施される。蓋取付工程では、閉鎖装置３００の蓋取付部３３０によって複数のカップ１００の全部の開口を覆うように集合蓋が複数のカップ１００に接合され、蓋連結型集合体が製造される。集合蓋における個別の蓋に対して、その蓋に対応するカップ１００内の薬に関する情報を記録することにより、蓋連結型集合体を適切に管理することができる。
【００４４】
医薬品搬送用治具１によれば、次のような作用および効果が得られる。
投入装置２００にセットされている複数のカップ１００を閉鎖装置３００に搬送する場合、医薬品搬送用治具１の支持部２１により複数のカップ１００が支持される。複数のカップ１００は医薬品搬送用治具１の支持部２１に支持された状態で閉鎖装置３００に搬送され、閉鎖装置３００の台３１０にセットされる。このように、投入装置２００にセットされている複数のカップ１００が一括して閉鎖装置３００に搬送されるため、一包化調剤が効率的に実施される。複数のカップ１００が閉鎖装置３００に搬送された後、閉鎖装置３００における作業の邪魔にならないよう、医薬品搬送用治具１が複数のカップ１００から離される。このとき、複数のカップ１００の相対的な位置関係が崩れることなく、医薬品搬送用治具１が複数のカップ１００から離れるため、投入装置２００における複数のカップ１００の相対的な位置関係が閉鎖装置３００の台３１０にセットされた複数のカップ１００においても保たれる。このため、複数のカップ１００の搬送後に複数のカップ１００の相対的な位置関係の確認等の作業を省略でき、一包化調剤に関する作業効率が高められる。
【００４５】
(変形例)
上記実施形態は本発明に関する医薬品搬送用治具が取り得る形態の例示であり、その形態を制限することを意図していない。本発明に関する医薬品搬送用治具は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００４６】
・支持部２１の構成は任意に変更可能である。一例では、支持部２１は複数のカップ１００の収容部１１０を一括して挟むことができるように構成される。この例では、支持部２１は支持位置においてカップ１００の収容部１１０を挟む第１位置と、カップ１００の収容部１１０と間隔を介して対向する第２位置との間を移動可能に構成される。
【００４７】
・医薬品搬送用治具１の構成は任意に変更可能である。第１例では、台１０が医薬品搬送用治具１から省略される。この例では、台１０は投入装置２００に予め備え付けられる。第２例では、仮蓋３０が医薬品搬送用治具１から省略される。
【符号の説明】
【００４８】
１        ：医薬品搬送用治具
１０      ：台
２１      ：支持部
２１Ａ    ：櫛
３０      ：仮蓋
３２Ａ    ：通気部
１００    ：医薬品用カップ
１１０    ：収容部
１１０Ａ  ：開口
１２０    ：フランジ
２００    ：投入装置
３００    ：閉鎖装置
【図１】
2019088633.tif 000003
【図２】
2019088633.tif 000004
【図３】
2019088633.tif 000005
【図４】
2019088633.tif 000006
【図５】
2019088633.tif 000007
【図６】
2019088633.tif 000008
【図７】
2019088633.tif 000009
【図８】
2019088633.tif 000010
【図９】
2019088633.tif 000011
【図１０】
2019088633.tif 000012
【図１１】
2019088633.tif 000013